(57)【要約】【課題】布団の収納を容易に行うことができ、しかも布団の偏った収納を防止することができる布団袋を提供する。【解決手段】布団３０を収納する布団袋１において、内側が上向きとなるように広げた第１状態Ａと折り曲げ部１０ａで二つ折りした第２状態Ｂとに変形可能な布団袋本体２と、第２状態Ｂの布団袋本体２の対向周縁を開閉するファスナー３と、布団袋本体２の内側であってその布団袋本体２の前記折り曲げ部１０ａを挟んで両側に設けられ、第１状態Ａの布団袋本体２とほぼ同じ大きさに折り畳んだ前記布団３０の両端部３０ｅが挿入される一対の筒部１２とを具備する。【選択図】図５
2010076817.tif 000002
【特許請求の範囲】
【請求項１】
布団を収納する布団袋において、
内側が上向きとなるように広げた第１状態と折り曲げ部で二つ折りした第２状態とに変形可能な布団袋本体と、
前記第２状態の布団袋本体の対向周縁を開閉するファスナーと、
前記布団袋本体の内側であってその布団袋本体の前記折り曲げ部を挟んで両側に設けられ、前記第１状態の布団袋本体とほぼ同じ大きさに折り畳んだ前記布団の両端部が挿入される一対の筒部とを具備することを特徴とする布団袋。
【請求項２】
請求項１に記載の布団袋において、
前記布団袋本体の内側であって前記布団袋本体の折り曲げ部に、その折り曲げ部に沿って紐状または帯状の布団押さえが設けられていることを特徴とする布団袋。
【請求項３】
請求項２に記載の布団袋において、
前記布団押さえがベルトであって、そのベルトの途中が分断され、かつバックルにより連結可能になっていることを特徴とする布団袋。
【請求項４】
請求項１乃至３のいずれか１つに記載の布団袋において、
前記折り曲げ部に、透明または半透明からなる内部視認窓が形成されていることを特徴とする布団袋。
【請求項５】
請求項１乃至４のいずれか１つに記載の布団袋において、
前記折り曲げ部の近傍であって外面側に持運び用の把持部が設けられていることを特徴とする布団袋。
【発明の詳細な説明】
【技術分野】
【０００１】
本発明は、布団を収納する布団袋に関する。
【背景技術】
【０００２】
布団袋として、１または複数の布団が入る概略六面体状の布団袋本体の上面に、開閉用のファスナーが設けられたものが知られている（例えば、特許文献１等参照）。この布団袋にあっては、ファスナーを開けると布団を出入れすることができる。
【特許文献１】実開昭５５−３６１１９号公報
【発明の開示】
【発明が解決しようとする課題】
【０００３】
ところで、上述した布団袋に羽毛布団を収納する場合、羽毛布団はその内側に空気を多く含み嵩高い状態なので、羽毛布団を無理矢理に押し込むことになって収納作業性が悪く、折り畳んだ形状も乱れて羽毛布団が皺になり易いという難点があった。
【０００４】
そこで、布団袋を広げた状態から二つ折りすることで、羽毛布団に含まれた空気を効率よく押し出して収納作業性を改善させ得る構成の布団袋が考えられる。
【０００５】
この布団袋による場合には、羽毛布団を入れるとき、内側が上向きとなるように広げた布団袋本体の上に、その広げた布団袋本体とほぼ同じ大きさとなるように折り畳んだ羽毛布団を載せ、その後に羽毛布団と共に布団袋本体を二つ折りして、布団袋本体に設けたファスナーを閉じるように行われる。そして、布団袋本体を二つ折りする作業により、羽毛布団が上から押し潰されていき、これにより羽毛布団からこれに含まれた空気が抜けて容易に羽毛布団を収納することが可能になる。
【０００６】
しかしながら、この布団袋により、羽毛布団または羽毛布団以外の布団を収納する場合には、二つ折りをする布団の上側の端部が布団袋から早めに離れて垂れることで、布団袋に布団が偏って収納されるという不都合があった。
【０００７】
本発明は、このような従来技術の課題を解決するためになされたもので、布団の収納を容易に行うことができ、しかも布団の偏った収納を防止することができる布団袋を提供することを目的とする。
【課題を解決するための手段】
【０００８】
本発明の請求項１に係る布団袋は、布団を収納する布団袋において、内側が上向きとなるように広げた第１状態と折り曲げ部で二つ折りした第２状態とに変形可能な布団袋本体と、前記第２状態の布団袋本体の対向周縁を開閉するファスナーと、前記布団袋本体の内側であってその布団袋本体の前記折り曲げ部を挟んで両側に設けられ、前記第１状態の布団袋本体とほぼ同じ大きさに折り畳んだ前記布団の両端部が挿入される一対の筒部とを具備することを特徴とする。
【０００９】
請求項２に係る布団袋は、請求項１に記載の布団袋において、前記布団袋本体の内側であって前記布団袋本体の折り曲げ部に、その折り曲げ部に沿って紐状または帯状の布団押さえが設けられていることを特徴とする。
【００１０】
請求項３に係る布団袋は、請求項２に記載の布団袋において、前記布団押さえがベルトであって、そのベルトの途中が分断され、かつバックルにより連結可能になっていることを特徴とする。
【００１１】
請求項４に係る布団袋は、請求項１乃至３のいずれか１つに記載の布団袋において、前記折り曲げ部に、透明または半透明からなる内部視認窓が形成されていることを特徴とする。
【００１２】
請求項５に係る布団袋は、請求項１乃至４のいずれか１つに記載の布団袋において、前記折り曲げ部の近傍であって外面側に持運び用の把持部が設けられていることを特徴とする。
【発明の効果】
【００１３】
本発明にあっては、布団を収納するとき、ファスナーを開けて第１状態に広げた布団袋本体の上に、その布団袋本体に対応する大きさに折り畳んだ布団を載せ、その後、布団袋本体の折り曲げ部を挟んで両側に設けられた筒部の内側に、各筒部の上に載っている布団の端部を入れ、続いて布団とともに布団袋本体を折り曲げ部において二つ折りして第２状態とし、その第２状態でファスナーを閉じる。これによって、布団が布団袋とともに二つ折りされるので、これにより布団からこれに含まれた空気が抜けて布団の収納を容易に行うことができる。また、筒部の上に載っている布団の端部を筒部に挿入しておくことで、二つ折りするとき布団の上側端部を布団袋本体と一体的に動くようにすることができ、これに伴って布団の偏った収納を防止することができる。
【００１４】
請求項２による場合には、布団袋本体の折り曲げ部に設けた布団押さえで布団の折り曲げ箇所を押さえるようにしておくと、布団の折り曲げをスムーズに行うことができる。
【００１５】
請求項３による場合には、バックルでベルトを連結しておくと、布団の折り曲げをスムーズに行うことができることは勿論であるが、広げた状態の布団袋本体の上に布団を載せるときや、広げた状態の布団袋本体から布団を出すとき、バックルを分離することにより、ベルトを布団袋の外側に避けて置くことができ、これによりベルトが邪魔になることを防止できる。
【００１６】
請求項４による場合には、透明または半透明な内部視認窓から内部の布団の色や柄などを視認でき、布団袋を開けることなく布団を容易に探すことができる。
【００１７】
請求項５による場合には、把持部を持つことにより簡単に持運びできる。
【発明を実施するための最良の形態】
【００１８】
以下に本発明を具体的に説明する。
【００１９】
図１は本発明の一実施形態に係る布団袋における布団袋本体の内側を上向きとなるように広げた状態を示す斜視図で、図２は上記布団袋本体を二つ折りして閉じた状態を示す斜視図である。
【００２０】
この布団袋１は、図示しない布団、例えば羽毛布団を収納するものであって、二つ折り可能な布団袋本体２と、この布団袋本体２の周縁に沿って設けられたファスナー３とを具備する。
【００２１】
布団袋本体２は、二つ折りされる外装膜１０と、この外装膜１０の周囲に設けた側面部材１１と、外装膜１０の内側に二重に設けられ、外装膜１０との間で筒部１２を形成する内膜１３とを有する。
【００２２】
外装膜１０は、例えば長方形状に形成されていて、その長手方向Ｌ１の中央部で、長手方向Ｌ１の両端部が重ね合わされるように折り曲げられる。つまり、外装膜１０の長手方向中央部が折り曲げ部１０ａとなる。よって、布団袋本体２は、前記折り曲げ部１０ａを広げて内側が上向きとなる第１状態Ａと、折り曲げ部１０ａで折り曲げた二つ折りの第２状態Ｂとに変形可能である。なお、外装膜１０の折り曲げ部１０ａは、布団袋本体２の折り曲げ部でもある。
【００２３】
また、上記外装膜１０は、折り曲げ部１０ａの近傍に、例えば透明プラスチック膜からなる内部視認窓１４が形成されている。また、その内部視認窓１４を除く外装膜１０の他の部分と、側面部材１１と、内膜１３とは、例えば不透明な同じ材質、柄の不織布で形成されている。内部視認窓１４は、内部に収納した布団の色や柄などを視認できるようにするもので、これにより布団袋１を開けることなく布団を容易に探すことを可能とする。この内部視認窓１４の材料としては、透明プラスチック膜に代えて、半透明のプラスチック膜を用いてもよい。
【００２４】
ファスナー３は、務歯４ａを有する一対のテープ４とスライダ５とを備えるもので、各テープ４は、二つ折りの第２状態Ｂにおける布団袋本体２の対向周縁２ａのそれぞれに縫付けられている。各対向周縁２ａは、第２状態Ｂの布団袋本体２における折り曲げ部１０ａを除く３辺である。スライダ５は、この例では２個有し、各スライダ５は、布団袋本体２が二つ折りの第２状態Ｂのとき、折り曲げ部１０ａからこれとは反対側へ向けて移動させることでファスナー３が閉じる、つまり布団袋本体２の対向周縁２ａが閉じる。一方、逆方向に各スライダ５または一方のスライダ５を移動させることでファスナー３が開き、布団袋本体２を広げると、内側が上向きとなる第１状態Ａとなる。なお、スライダ５は、１個としてもよい。
【００２５】
前記外装膜１０と内膜１３との間で形成される筒部１２は、折り曲げ部１０ａを挟んで両側に設けられている。
【００２６】
各筒部１２には、図１に示すように第１状態Ａに広げた布団袋本体２とほぼ同じ大きさに折り畳んだ羽毛布団３０の両端部が挿入される。羽毛布団３０の折り畳みは、以下のように行われる。即ち、例えば図３（ａ）に示すように羽毛布団３０の長さ方向Ｌ２の外側から１／４の２箇所（一点鎖線）３０ｃを折り曲げ部として、長さ方向Ｌ２の端部３０ｂどうしを長さ方向Ｌ２の中心（破線）で突き合わせるように折り曲げ、更に図３（ｂ）に示すように長さ方向Ｌ２の中心（一点鎖線）３０ｄを折り曲げ部として折り曲げ、前記長さ方向Ｌ２の外側から１／４の箇所３０ｃどうしを重ねて、図３（ｃ）に示す四つ折り状態になすことで行われる。そして、その四つ折り状態における幅方向Ｗ２の両端部３０ｅが各筒部１２に挿入される。ここで、幅方向Ｗ２の両端部３０ｅは、図３（ａ）に示す幅方向Ｗ２の両側の端３０ａの近傍部分に相当する。なお、端部３０ｅの筒部１２への挿入は、図３（ｃ）に示すように四つ折りした羽毛布団３０の幅方向Ｗ２を、図１に示すように第１状態Ａに広げた布団袋本体２の長手方向Ｌ１に一致させ、かつ、四つ折りした羽毛布団３０を前記布団袋本体２の上に載せて行うことが、挿入の容易性の点で好ましい。また、四つ折りした羽毛布団３０を布団袋本体２の上に載せた場合、両端部３０ｅは各筒部１２の上に載った状態になる。
【００２７】
また、布団袋本体２の内側であって折り曲げ部１０ａには、その折り曲げ部１０ａに沿って帯状の布団押さえ１５が設けられている。この布団押さえ１５は、途中が分断されたベルト１６とバックル１７とを有する。片方の分断ベルト１６ａの基端部は、側面部材１１の折り曲げ部１０ａの近傍部分に縫付けられ、反対側の先端部にはバックル１７を構成する係止部材１７ａが取付けられている。もう片方の分断ベルト１６ｂの基端部は、分断ベルト１６ａの縫付け箇所とは反対側であって、側面部材１１の折り曲げ部１０ａの近傍部分に縫付けられ、分断ベルト１６ｂの反対側の先端部にはバックル１７を構成する被係止部材１７ｂが取付けられている。なお、バックル１７は公知のものを使用している。
【００２８】
図４（ａ）は係止部材１７ａを示し、同（ｂ）は被係止部材１７ｂを示す。
【００２９】
係止部材１７ａは、弾性力により両者間の幅寸法Ｗ３が変化する２本の爪部１７ｃを有し、係止部材１７ａの先端側を、被係止部材１７ｂに設けられた開口部１７ｄから挿入し、爪部１７ｃを被係止部材１７ｂに設けられた引っ掛かり部に係止すると抜止めされる。これによりバックル１７が連結される。その状態において、両爪部１７ｃの間隔が狭くなるように爪部１７ｃを内側に押し込んで係止部材１７ａまたは被係止部材１７ｂを引くと、バックル１７が離れてベルト１６が分断される。
【００３０】
また、布団袋本体２の外側であって折り曲げ部１０ａの近傍には、一対の持運び用の把持部１８が設けられている（図２参照）。各把持部１８は、布団袋本体２の幅方向Ｗ１にそれぞれ配設されていて、紐状のものの両端が縫付けられている。
【００３１】
このように構成された本実施形態に係る布団袋１における羽毛布団３０の収納動作および取出し動作につき説明する。
【００３２】
まず、羽毛布団３０の収納は、図５（ａ）に示すようにファスナーを開けて、内側が上を向くように布団袋本体２を広げ、第１状態Ａにする。
【００３３】
続いて、図５（ｂ）に示すように第１状態Ａの布団袋本体２の上に、羽毛布団３０を載せる。このとき、図３（ｃ）に示すように四つ折りした羽毛布団３０の幅方向Ｗ２を、図１に示すように第１状態Ａに広げた布団袋本体２の長手方向Ｌ１に一致させた状態で、四つ折りした羽毛布団３０を前記布団袋本体２の上に載せる。これに伴い、羽毛布団３０の幅方向Ｗ２の各端部３０ｅは、布団袋本体２の各筒部１２の上に載ることとなる。
【００３４】
その後、図５（ｃ）に示すように布団３０の幅方向Ｗ２の各端部３０ｅを、それぞれの筒部１２に挿入し、係止部材１７ａと被係止部材１７ｂを連結してバックル１７を繋ぐ。これにより羽毛布団３０がベルト１６により押さえられる。
【００３５】
次に、図５（ｄ）に示すように、布団袋本体２を、羽毛布団３０とともに二つ折りして第２状態Ｂとし、第２状態Ｂの折り曲げ部１０ａから周縁に沿ってファスナー３のスライダを移動させてファスナー３を閉じればよい。これにより、布団袋１に羽毛布団３０が収納される。
【００３６】
一方、ファスナー３が閉じた第２状態Ｂの布団袋本体２から羽毛布団３０を出すときは、上記とは逆操作を行えばよい。詳細には、ファスナー３のスライダを、羽毛布団３０を入れるときとは逆方向に移動させてファスナー３を開け、布団袋本体１を広げて第１状態Ａにする（図５（ｃ）及び（ｄ）参照）。そして、筒部１２から羽毛布団３０の端部３０ｅを抜き、バックル１７を離し、図５（ｂ）に示すように布団袋本体２の上に羽毛布団３０が載った状態にし、羽毛布団３０を持ち上げる。
【００３７】
以上のように、本実施形態に係る布団袋１による場合には、羽毛布団３０を収納するとき、ファスナー３を開けて第１状態Ａに広げた布団袋本体２の上に、その布団袋本体２に対応する大きさに折り畳んだ羽毛布団３０を載せ、その後、布団袋本体２の折り曲げ部１０ａを挟んで両側に設けられた筒部１２の内側に、各筒部１２の上に載っている羽毛布団３０の端部３０ｅを入れ、続いて羽毛布団３０とともに布団袋本体２を折り曲げ部１０ａにおいて二つ折りして第２状態Ｂとし、その第２状態Ｂでファスナー３を閉じる。これによって、羽毛布団３０が布団袋１とともに二つ折りされるので、羽毛布団３０からこれに含まれた空気が抜けて羽毛布団３０の収納を容易に行うことができる。また、筒部１２の上に載っている羽毛布団３０の端部を筒部１２に挿入しておくことで、二つ折りするとき羽毛布団３０の上側端部３０ｅと布団袋本体２とを一体的に動くようにすることができ、換言すると上記筒部１２が端部３０ｅの垂れ下がりを押さえるように機能し、これに伴って羽毛布団３０の偏った収納を防止することができる。
【００３８】
また、本実施形態にあっては、布団袋本体２の折り曲げ部１０ａに設けた布団押さえ１５で羽毛布団３０の折り曲げ箇所を押さえる構成であるので、羽毛布団３０の折り曲げをスムーズに行うことが可能になる。上述した布団押さえ１５は省略してもよいが、本実施形態のように柔らかい羽毛布団３０の場合には布団押さえ１５を備えた構成とした方が好ましい。
【００３９】
更に、本実施形態の布団袋１には、持運び用の把持部１８が設けられているので、この把持部１８を把持することにより容易に持運びを行うことができる。
【００４０】
なお、上述した実施形態では布団押さえ１５に、バックル１７を有するベルト１６を使用しているが、本発明はこれに限らず、紐を用いてもよい。
【００４１】
また、上述した実施形態にあっては、羽毛布団３０をその長さ方向Ｌ２に四つ折りしているが、本発明はこれに限らない。第１状態Ａに広げた布団袋本体２に対応する大きさであれば、羽毛布団３０をどのように折り畳んでもよい。
【００４２】
更に、上述した実施形態にあっては、収納対象として羽毛布団３０を例に挙げているが、本発明はこれに限らない。例えば、羽毛布団３０以外の布団を収納対象にした場合にあっても、前同様に布団の収納を容易に行うことができ、しかも布団の偏った収納を防止することができる。
【図面の簡単な説明】
【００４３】
【図１】本発明の一実施形態に係る布団袋における布団袋本体の内側を上向きとなるように広げた状態を示す斜視図である。
【図２】布団袋本体を二つ折りして閉じた状態を示す斜視図である。
【図３】布団の折り畳みの一例を示す説明図である。
【図４】バックルの説明図で、（ａ）は係止部材を示し、（ｂ）は被係止部材を示す。
【図５】布団袋における布団の収納動作および取出し動作についての説明図である。
【符号の説明】
【００４４】
１    布団袋
２    布団袋本体
３    ファスナー
１０ａ    折り曲げ部
１２    筒部
１３    内膜
１４    内部視認窓
１５    布団押さえ
１６    ベルト
１７    バックル
１８    把持部
３０    布団
３０ｅ    端部
Ａ    第１状態
Ｂ    第２状態
【図１】
2010076817.tif 000003
【図２】
2010076817.tif 000004
【図３】
2010076817.tif 000005
【図４】
2010076817.tif 000006
【図５】
2010076817.tif 000007